(57)【要約】【課題】サーバなどの特別な機器を用意することなしに、画像処理装置のみで画像データの共有を行なう。【解決手段】ネットワークで接続された他の機器が保持する画像に関する情報を取得し、まとめて使用者に提示することで、複数の機器に分散して保持されている画像を、使用者が操作する機器において選択し、同機器から出力することが可能となる。【選択図】　　　　図１
2004064630.tif 000002
【特許請求の範囲】
【請求項１】
ネットワークを介して他の機器と通信を行なう通信手段と、使用者が原稿台に置いた原稿を読み取る読取手段と、
前記読取手段を用いて読み取った画像を記憶する記憶手段と、
前記記憶手段に記憶された画像を紙などの媒体へ印刷する印刷手段と、
前記記憶手段に記憶された画像の一覧を前記通信手段を用いて他の機器へ送信する第一の送信手段と、
前記記憶手段に記憶された画像を前記通信手段を用いて他の機器へ送信する第二の送信手段と
を有することを特徴とした画像処理装置。
【発明の詳細な説明】
【０００１】
【発明の属する技術分野】
本発明における画像処理装置は、ネットワークで互いに接続された複数の機器が、各々が保持する情報を交換し、共有するための技術に関するものである。
【０００２】
【従来の技術】
従来、画像処理装置と呼ばれる機器において、スキャナで読み取った画像や、ＦＡＸで受信した画像、コンピュータから送信された画像などを、機器内部の記憶装置に保持する機能がある。
【０００３】
【発明が解決しようとする課題】
しかしながら、従来の機器においては、特定の機器に保持された画像は、その機器でしか印刷できなかった。また、複数の機器に保持された画像を共有するためには、サーバなどのコンピュータを別に用意し、そのコンピュータの記憶装置へ画像を保存しなおす必要があった。
【０００４】
本発明における画像処理装置は、この問題を解決するために、ネットワークで接続された他の機器が保持する画像に関する情報を取得し、まとめて使用者に提示することで、複数の機器に分散して保持されている画像を、使用者が操作する機器において選択し、同機器から出力することが可能となる画像処理装置の提供を目的とする。
【０００５】
【課題を解決するための手段】
本発明は、下記の構成を備えることにより上記課題を解決できた。
【０００６】
（１）ネットワークを介して他の機器と通信を行なう通信手段と、
使用者が原稿台に置いた原稿を読み取る読取手段と、
前記読取手段を用いて読み取った画像を記憶する記憶手段と、
前記記憶手段に記憶された画像を紙などの媒体へ印刷する印刷手段と、
前記記憶手段に記憶された画像の一覧を前記通信手段を用いて他の機器へ送信する第一の送信手段と、
前記記憶手段に記憶された画像を前記通信手段を用いて他の機器へ送信する第二の送信手段と
を有することを特徴とした画像処理装置。
【０００７】
【発明の実施の形態】
図１は本発明における画像処理装置の内部を示している。１０１は操作部であり、使用者が画像処理装置を操作したり、画像処理装置からの情報を閲覧するためのものである。１０２はスキャナであり、紙などの媒体に描画された画像をデジタルデータへ変換するためのものである。１０３はネットワークインターフェイスであり、画像処理装置がネットワークを介して他の画像処理装置あるいはコンピュータと通信を行なうためのものである。１０４は記憶装置であり、スキャナ１０２で読み取った画像やネットワークインターフェイス１０３を介して他の画像処理装置から送られてきた画像あるいはコンピュータから送られてきた情報を元に作成された画像を保存するためのものである。１０５はプリンタであり、１０４の記憶装置に記憶された画像を紙などの媒体に作像するためのものである。１０６はコントローラであり、１０１の操作部と１０２のスキャナと１０３のネットワークインターフェイスと１０４の記憶装置と１０５のプリンタを制御するためのものである。１０１の操作部と１０２のスキャナと１０３のネットワークインターフェイスと１０４の記憶装置と１０５のプリンタと１０６のコントローラは１０７のバスで相互に接続されている。
【０００８】
図２は本発明における画像処理装置が画像を保存する方法の一つを示している。１０２のスキャナから読み込まれた一つまたは複数の画像（以下文書と呼ぶ）を１０４の記憶装置に記憶することが可能である。
【０００９】
図３は本発明における画像処理装置がネットワークで接続されたコンピュータから送られた情報を元に作成された文書を保存する方法を示している。３０１のコンピュータから３０２の前記画像処理装置へ３０３の情報が送られる。３０２の画像処理装置内で前記情報を元に文書を作成し、１０４の記憶装置に保存する。
【００１０】
図４は本発明における画像処理装置がネットワークで接続されたほかの画像処理装置から送られた文書を保存する方法を示している。４０１の画像処理装置から送られてきた４０２の文書を４０３の本発明における画像処理装置が１０４の記憶装置に保存する。
【００１１】
本発明における画像処理装置の使用者は、図２や図３や図４で示した方法によって１０４の記憶装置に保存された文書を、１０１の操作部を介して前記画像処理装置に指示を送ることにより、１０５のプリンタから紙などの媒体へ作像することが可能である。
【００１２】
次に本発明における画像処理装置の使用者が１０４の記憶装置に保存された文書の一覧を閲覧し、文書を選択して印刷するための方法について説明する。
【００１３】
図５〜図８は本発明における画像処理装置の１０１の操作部に表示される画面である。
【００１４】
図５は文書を保存するボックスと呼ばれる論理的な単位の一覧を表示する画面である。５０１はボックスの一覧であり、ボックスの番号とボックスの名称が表示される。使用者がボックスを示す矩形に触れると、矩形が反転表示され、そのボックスが選択されたことを示す。５０２は閲覧ボタンであり、ボックスが選択されている状態でこのボタンが押されると、図６で示される画面へ遷移する。５０３は名称変更ボタンであり、ボックスが選択されている状態でこのボタンが押されると、ボックスの名称を変更する画面が表示される。この画面に表示される情報は、ネットワークを介して他の画像処理装置から取得された情報も一緒に表示される。
【００１５】
図６はボックスに含まれる文書の一覧を表示する画面である。６０１は文書の一覧であり、文書の番号と文書名と文書が作成された日付と文書の種類が表示される。使用者が文書を示す矩形に触れると、矩形が反転表示され、その文書が選択されたことを示す。６０２は印刷ボタンであり、文書が選択されている状態でこのボタンが押されると、１０６のコントローラの制御により１０５のプリンタから印刷される。６０３は詳細情報ボタンであり、文書が選択されている状態でこのボタンが押されると、図７の詳細情報を表示する画面に遷移する。６０４は削除ボタンであり、文書が選択されている状態でこのボタンが押されると、文書が削除される。６０５は閉じるボタンであり、このボタンが押されると図５のボックス一覧画面へ遷移する。
【００１６】
図７は文書の詳細情報を表示する画面である。文書の番号、文書名、種類、作成日に加えて、作成者、ページ数、カラー画像が含まれるか否かが表示される。７０１は文書名変更ボタンであり、このボタンが押されると、文書名を変更する画面が表示される。７０２は閉じるボタンであり、このボタンが押されると図６の文書一覧画面へ遷移する。
【００１７】
図８は、ボックスの一覧を表示する際にネットワークを介して情報を取得すべき他の画像処理装置を指定するための画面である。８０１は一覧であり、情報の取得対象となる他の画像処理装置のネットワークアドレスが表示される。８０２は追加ボタンであり、このボタンが押されると新規にネットワークアドレスを入力する画面が表示される。８０３は削除ボタンであり、このボタンを押した時点で選択されているネットワークアドレスが削除される。８０４は閉じるボタンであり、この画面が呼び出される前の画面へ遷移する。
【００１８】
次に図５のボックス一覧画面を表示する際のシーケンスについて説明する。
【００１９】
図９は、図５のボックス一覧画面を表示する際のシーケンスを示している。使用者がボックス一覧画面を表示するための操作を行なうと、ステップ９０１でシーケンスが開始され、ステップ９０２へ遷移する。ステップ９０２では、ボックスの一覧を保持するための変数ｌｉｓｔが初期化され、ステップ９０３へ遷移する。ステップ９０３はループ処理の開始ステップであり、図８の画面で設定されたネットワークアドレスのリストの要素を先頭から一つずつ取り出して変数ｉにセットし、ステップ９０７との間のシーケンスを繰り返す。ステップ９０４では変数ｉに含まれるネットワークアドレス接続を行ない、ステップ９０５へ遷移する。ステップ９０５では変数ｉに含まれるネットワークアドレスに接続可能かどうかを判断し、接続できなかった場合は次のループ処理を行なうためにステップ９０７へ遷移し、接続できた場合はステップ９０６へ遷移する。ステップ９０６では接続した画像処理装置が保持するボックスの一覧を取得して変数ｌｉｓｔに追加し、ステップ９０７へ遷移する。ステップ９０７はループの終了ステップであるため、ネットワークアドレスのリストの要素が残っていない場合はステップ９０８へ遷移し、残っている場合はステップ９０３へ遷移する。ステップ９０８では変数ｌｉｓｔの内容をボックス一覧として図５のような画面に表示する。
【００２０】
次に図６の文書一覧画面を表示する際のシーケンスについて説明する。
【００２１】
図１０は、図６の文書一覧画面を表示する際のシーケンスを示している。使用者が閲覧ボタン（５０２）を押すと、ステップ１００１へ処理が移り、シーケンスが開始される。ステップ１００２では、選択されているボックスを格納している機器に接続を行ない、ステップ１００３へ遷移する。ステップ１００３では接続可能かどうかを判断し、接続できた場合はステップ１００４へ遷移し、接続できなかった場合はステップ１００５へ遷移する。ステップ１００４では接続した機器へ、現在選択されているボックスのＩＤを送信し、そのボックスに含まれる文書の一覧を取得してステップ１００６へ遷移する。ステップ１００５では接続に失敗したことを表すメッセージを画面に表示してステップ１００７へ遷移する。ステップ１００６では取得した文書の一覧を画面に表示し、ステップ１００７へ遷移する。ステップ１００７で本シーケンスの処理が終了する。
【００２２】
【発明の効果】
請求項１の発明によれば、ネットワークで接続された他の機器が保持する画像に関する情報を取得し、まとめて使用者に提示することで、複数の機器に分散して保持されている画像を、使用者が操作する機器において選択し、同機器から出力することが可能となる。
【図面の簡単な説明】
【図１】本発明における画像処理装置の内部概念図
【図２】本発明における画像処理装置がスキャンした文書を保存する方法の概念図
【図３】本発明における画像処理装置がコンピュータからプリント指示された文書を保存する方法の概念図
【図４】本発明における画像処理装置がネットワークを介して受信した文書を保存する方法の概念図
【図５】本発明における画像処理装置のボックス一覧画面を示す図
【図６】本発明における画像処理装置の文書一覧画面を示す図
【図７】本発明における画像処理装置の文書詳細情報画面を示す図
【図８】本発明における画像処理装置の機器設定画面を示す図
【図９】本発明における画像処理装置がボックス一覧画面を表示するためのシーケンス
【図１０】本発明における画像処理装置が文書一覧画面を表示するためのシーケンス
【符号の説明】
１０１　操作部
１０２　スキャナ
１０３　ネットワークインターフェイス
１０４　記憶装置
１０５　プリンタ
１０６　コントローラ
１０７　バス
【図１】
2004064630.tif 000003
【図２】
2004064630.tif 000004
【図３】
2004064630.tif 000005
【図４】
2004064630.tif 000006
【図５】
2004064630.tif 000007
【図６】
2004064630.tif 000008
【図７】
2004064630.tif 000009
【図８】
2004064630.tif 000010
【図９】
2004064630.tif 000011
【図１０】
2004064630.tif 000012